(57)【要約】【課題】  ガタツキを防止可能な構造の回転式携帯端末を提供すること。【解決手段】携帯端末２００は第１の筐体６、第１の筐体６の正面側へその背面が重ねられている第２の筐体７、第１の筐体６と第２の筐体７の間に設けられ、第１の筐体６と第２の筐体７を回転可能に連結し、かつ所定の角度に保持する回転ユニットａ、および第１の筐体６と第２の筐体７の間に設けられたガタツキ防止機構１００とを有しており、ガタツキ防止機構１００は、所定の角度で第２の筐体７を押圧して傾斜させ、一部を第１の筐体６に接触させることによりガタツキを防止する。【選択図】      図２
2011114614.tif 000002
【特許請求の範囲】
【請求項１】
第１の筐体および第２の筐体と、
前記第１の筐体と前記第２の筐体の間に設けられ、前記第１の筐体と前記第２の筐体を互いに相対回転可能に、かつ所定の回転角度で保持可能に連結する回転ユニットと、
前記第１の筐体と前記第２の筐体の間に設けられ、前記所定の回転角度で保持された状態の前記第２の前記筐体を押圧して前記第１の前記筐体に対して傾斜させ、前記第２の前記筐体の、押圧した部分以外の部分を前記第１の筐体に接触させる押圧手段と、
を有することを特徴とする携帯端末。
【請求項２】
前記第１の筐体と前記第２の筐体は平面形状が長方形であり、
前記所定の角度は、
前記第１の筐体と前記第２の筐体が重なり合った状態である第１の角度と、
前記第１の角度に保持された状態から９０度回転したＴ字型の状態の第２の角度と、
前記第１の角度に保持された状態から１８０度回転した縦方向に連結された開いた状態の第３の角度と、
を有することを特徴とする請求項１記載の携帯端末。
【請求項３】
前記押圧手段は、
前記第１の筐体に移動可能に係合された第１パッドと、
前記第１パッドと前記第１の筐体の間に間に設けられ、前記第１パッドを前記第２の筐体側に押圧するバネと、
を有することを特徴とする請求項２記載の携帯端末。
【請求項４】
前記第１パッドは溝部を有し、
前記第２の筐体は、前記第１〜第３の角度において前記第１パッドに押圧される部分に設けられ、前記溝部に対応した形状の凸部を有することを特徴とする請求項３に記載の携帯端末。
【請求項５】
前記第２の角度において、前記第１の筐体と前記第２の筐体が接触する部分に設けられた第２パッドと、
前記第１の角度において、前記第１の筐体と前記第２の筐体が接触する部分に設けられた第３パッドと、を有することを特徴とする請求項３または４のいずれか一項に記載の携帯端末。
【請求項６】
前記第２パッドは、前記第３の角度において、前記第１の筐体と前記第２の筐体が接触する部分に設けられていることを特徴とする請求項５記載の携帯端末。
【請求項７】
前記回転ユニットは前記長方形の一方の短辺側に設けられ、
前記第１パッドは、前記第１の筐体における前記回転ユニットと前記一方の短辺の間に設けられていることを特徴とする請求項３〜６のいずれか一項に記載の携帯端末。
【請求項８】
前記第１パッドは前記一方の短辺側の２箇所の角部に沿うようにそれぞれ設けられていることを特徴とする請求項７のいずれか一項に記載の携帯端末。
【請求項９】
前記第２パッドは、前記第２の角度および前記第３の角度において、前記第１の筐体と前記第２の筐体が交差する部分に沿うように設けられていることを特徴とする請求項５〜８のいずれか一項に記載の携帯端末。
【請求項１０】
前記第２パッドは、前記第１の筐体の２つの長辺に沿うように２箇所設けられていることを特徴とする請求項９記載の携帯端末
【請求項１１】
前記第３パッドは、前記第１の筐体における、前記長方形の他の短辺側に設けられていることを特徴とする請求項５〜１０のいずれか一項に記載の携帯端末。
【請求項１２】
前記回転ユニットは、
ベース板と、
前記ベース板と相対回動するように接合された可動板と、
を有し、
前記接合された部分は、前記押圧手段が一方の前記筐体を傾斜させる際に支点となるように構成されていることを特徴とする請求項１〜１１のいずれか一項に記載の携帯端末。
【請求項１３】
前記回転ユニットは、
所定距離離間した第１及び第２の軸ピンが設けられたベース板と、前記第１及び第２の軸ピンとそれぞれ係合する第１及び第２の鉤状部が形成された可動板とを有し、前記ベース板と前記可動板とが相対回動するように接合され、
前記可動板は、一方向へ回動するときは前記第１の軸ピンと前記第１の鉤状部が係合して前記第２の軸ピンから前記第２の鉤状部が離脱し、他方向へ回動するときは前記第２の軸ピンと前記第２の鉤状部が係合して前記第１の軸ピンから前記第１の鉤状部が離脱するように構成されていることを特徴とする請求項１２に記載の携帯端末。
【請求項１４】
前記ベース板と前記可動板とを接合する取付軸をさらに有し、
前記ベース板には、前記第１の軸ピンを中心とした円弧と前記第２の軸ピンを中心とした円弧が前記第１及び第２の軸ピンの間の中間位置で交わる形状のガイドスリットが設けられており、
前記可動板には、前記第１及び第２の鉤状部の中間位置に取付部が設けられており、前記取付軸は前記取付部に固定されかつ前記ガイドスリット内を移動可能となるように配置されていることを特徴とする請求項１３に記載の携帯端末。
【請求項１５】
前記ガイドスリットは、前記第１及び第２の軸ピンが前記第１及び第２の鉤状部とそれぞれ係合しているときに前記取付軸がばね付勢により案内される第１の凹部と、前記第１及び第２の軸ピンが前記第１及び第２の鉤状部がそれぞれ係合している状態から前記可動板が一方向へ９０度回動したときに前記取付軸がばね付勢により案内される第２の凹部と、
前記第１及び第２の軸ピンが前記第１及び第２の各鉤状部へそれぞれ係合している状態から前記可動板が他方向へ９０度回転したときに前記取付軸がばね付勢により案内される第３の凹部とがそれぞれ形成されていることを特徴とする、請求項１４に記載の携帯端末。
【請求項１６】
互いに相対回転可能に、かつ所定の回転角度で保持可能に連結された第１の筐体および第２の筐体との間に設けられ、前記所定の回転角度で保持された状態の前記第２の筐体筐体を押圧して前記第１の筐体に対して傾斜させ、前記第２の筐体の、押圧した部分以外の部分を他方の前記第１の筐体に接触させる押圧手段を有することを特徴とする携帯端末のガタツキ防止機構。
【請求項１７】
前記第１の筐体と前記第２の筐体は平面形状が長方形であり、
前記所定の角度は、
前記第１の筐体と前記第２の筐体が重なり合った状態である第１の角度と、
前記第１の角度に保持された状態から９０度回転したＴ字型の状態である第２の角度と、
前記第１の角度に保持された状態から１８０度回転した縦方向に連結された開いた状態である第３の角度と、
を有することを特徴とする請求項１６に記載の携帯端末のガタツキ防止機構。
【請求項１８】
前記押圧手段は、
前記第１の筐体に移動可能に嵌合された第１パッドと、
前記第１パッドと前記他方の筐体の間に間に設けられ、前記第１パッドを前記第２の筐体側に押圧するバネと、
を有することを特徴とする請求項１７記載の携帯端末のガタツキ防止機構。
【請求項１９】
前記第１パッドは、脱落防止用の嵌合爪を有することを特徴とする請求項１８記載の携帯端末のガタツキ防止機構。
【請求項２０】
前記第１パッドは、前記第２の筐体と接触する第１部分と、前記第１部分に設けられ、前記第１の筐体に移動可能に係合される第２部分とを有し、
前記第１部分と前記第２部分とは、前記第１部分が相対的に摺動性に優れた材料で構成され、前記第２部分が相対的に剛性の優れた材料で構成されていることを特徴とする請求項１８または１９のいずれか一項に記載の携帯端末のガタツキ防止機構。
【請求項２１】
前記第２の角度において、前記第１の筐体と前記第２の筐体が接触する部分に設けられた第２パッドと、
前記第１の角度において、前記第１の筐体と前記第２の筐体が接触する部分に設けられた第３パッドと、
を有することを特徴とする請求項１８〜２０のいずれか一項に記載の携帯端末のガタツキ防止機構。
【請求項２２】
前記第２パッドは、前記第３の角度において、前記第１の筐体と前記第２の筐体が接触する部分に設けられていることを特徴とする請求項２１記載の携帯端末のガタツキ防止機構。
【請求項２３】
前記第１パッドは溝部を有し、
一方の前記筐体の前記第１パッドに押圧される部分に設けられ、前記溝部に対応した形状の凸部をさらに有することを特徴とする請求項１８〜２２のいずれか一項に記載の携帯端末のガタツキ防止機構。
【請求項２４】
請求項１〜１５のいずれか一項に記載の携帯端末を用いたことを特徴とする携帯端末の姿勢変換方法。
【発明の詳細な説明】
【技術分野】
【０００１】
本発明は、表示部を有する表示側筐体を、操作部を有する操作側筐体に対して摺動しつつ回転するように取り付ける（直接的に取り付ける場合のみでなく、他の独立した部材を介して間接的に取り付ける場合も含まれる。）ための回転ユニットを有する携帯端末、および当該携帯端末を回転させた際のガタツキ防止機構に関するものである。
【背景技術】
【０００２】
携帯電話機、ＰＤＡ、ノートパソコン等の電子機器では、表示側筐体を操作側筐体に対してヒンジ部を介して折畳み可能に連結したものや、縦長の操作側筐体と表示側筐体とを重なる状態で長さ方向に沿ってスライド可能に連結したものが使用されている。
【０００３】
そして、多くの場合表示側筐体は縦長又は横長であり、このように縦長又は横長に表示姿勢を固定すると、種々の異なった用途で使用するときに使い勝手が悪いと言った問題がある。
【０００４】
前記のような課題を解決するため、縦長の操作側筐体と表示側筐体とを相対的にスライド回転するように連結する回転連結機構を備えたものが提案されている。
【０００５】
前記回転連結機構は、表示側筐体が操作側筐体を覆って閉じた状態と、表示側筐体が操作側筐体の操作部を露出するとともに操作側筐体の長さ方向中心線に対して対称となる開いた状態との、いずれか一方の状態から他方の状態へ回転操作により移行できるように構成されている（後記特許文献１参照）。
【０００６】
また、ともに縦長の操作側筐体と表示側筐体とを、ヒンジ部とスライド回転部とを含む連結機構によって折畳み可能に連結し、通常はヒンジ部を利用して開閉操作をして使用し、必要な場合にはスライド回転部により表示側筐体を９０度回転させ、その表示姿勢を縦長姿勢と横長姿勢とに選択変換して使用できるように構成した携帯端末が提案されている（後記特許文献２の図１〜図７参照。）。
【０００７】
しかし、前記特許文献１の携帯端末における回転連結機構は、一方の状態から他方の状態へ回転操作により移行させたときは、縦長の表示側筐体が同様な操作側筐体の正面へ重なった状態で横長の表示姿勢に移行し、あるいは、その逆に横長の表示姿勢から縦長で操作側筐体へ重なった姿勢に移行するのみである。
【０００８】
従って、操作側筐体の操作部が露出するのは表示側筐体が横長姿勢に移行したときのみであり、表示側筐体が縦長の表示姿勢では操作側筐体の操作部は常に表示側筐体により覆われて遮蔽されているので、例えば携帯端末を電話機として使用する場合にはかえって使い勝手が悪いという問題があった。
【０００９】
さらに、近年、携帯電話機において、ワンセグ、フルブラウザ等、横大画面操作が必要な機能が搭載されている。
【００１０】
そのため、表示側筐体が操作側筐体を全面覆っている「閉じた状態」、表示側筐体の一部が操作側筐体の一部と長さ方向に沿って重なって縦長姿勢になった「開いた状態」に加え、表示側筐体が９０度回転して横画面で閲覧できる「Ｔ字形状の状態」を実現した操作性の良い回転ユニットが望まれている。
【００１１】
そこで、上記した３つの状態を片手で簡易に操作できる回転ユニットが提案されている（特許文献３）。
【００１２】
具体的には、特許文献３の回転ユニット（摺動・回転取付ユニット）は、ベース板が操作側筐体の表面に固定され、可動板が表示側筐体の裏面に固定されている。可動板にカシメ固定された固定軸はベース板のガイドスリットを貫通してベース板と可動板を摺動可能に抜け止めしている。可動板はベース板にカシメ固定された２本の軸ピンが中心軸となって回転し、固定軸がガイドスリットに沿って摺動することにより、上記の３種類の状態を形作ることが可能である。
【００１３】
一方、上記のようにスライド機構や回転機構を設けた携帯電話は、筐体間にスライドや回転のためのユニットを設けていることから、ガタツキが生じやすい。
【００１４】
このガタツキの原因は大きく２つに分けて「ユニットを構成するプレート間の隙間」と「筐体間の隙間」があるが、前者の隙間を小さくするとスライドや回転に悪影響があり、後者の隙間を小さくすると筐体同士の擦れ傷や塗装剥がれが発生する。
【００１５】
そこで、スライド式の携帯電話において、筐体同士を引き離す方向に反発するバネを設けて一定のクリアランスを確保し、ガタツキを押さえる構造を設けた構造が提案されている（特許文献４）。
【先行技術文献】
【特許文献】
【００１６】
【特許文献１】特開２００６−０１９９２５号公報
【特許文献２】特開２００４−２１５１８０号公報
【特許文献３】特願２００８−０９３８５１号
【特許文献４】特開２００７−２９５１１６号公報
【発明の概要】
【発明が解決しようとする課題】
【００１７】
しかしながら、特許文献４の構造は、一方向にのみ移動するスライド式の携帯端末のガタツキ防止機構であり、回転式の携帯端末においては、回転角度によらず、一定のクリアランスを保つのは困難であり、適用が困難であるという問題があった。
【００１８】
本発明は上記した問題に鑑みてなされたものであり、その課題は、ガタツキを防止可能な構造の回転式携帯端末を提供することにある。
【課題を解決するための手段】
【００１９】
上記した課題を解決するため、本発明の第１の形態は、第１の筐体および第２の筐体と、前記第１の筐体と前記第２の筐体の間に設けられ、前記第１の筐体と前記第２の筐体を互いに相対回転可能に、かつ所定の回転角度で保持可能に連結する回転ユニットと、前記第１の筐体と前記第２の筐体の間に設けられ、前記所定の回転角度で保持された状態の前記第２の前記筐体を押圧して前記第１の前記筐体に対して傾斜させ、前記第２の前記筐体の、押圧した部分以外の部分を前記第１の筐体に接触させる押圧手段と、を有することを特徴とする携帯端末である。
【００２０】
本発明の第２の形態は、互いに相対回転可能に、かつ所定の回転角度で保持可能に連結された第１の筐体および第２の筐体との間に設けられ、前記所定の回転角度で保持された状態の前記第２の筐体筐体を押圧して前記第１の筐体に対して傾斜させ、前記第２の筐体の、押圧した部分以外の部分を他方の前記第１の筐体に接触させる押圧手段を有することを特徴とする携帯端末のガタツキ防止機構である。
【００２１】
本発明の第３の形態は、第１の形態に記載の携帯端末を用いたことを特徴とする携帯端末の姿勢変換方法である。
【発明の効果】
【００２２】
本発明によれば、ガタツキを防止可能な構造の回転式携帯端末を提供することができる。
【図面の簡単な説明】
【００２３】
【図１】第１の実施形態に係る携帯端末２００の分解斜視図である。
【図２】第１の実施形態に係る携帯端末２００の分解斜視図である。
【図３】図３（ａ）は第１パッド１０３ａの拡大斜視図であって、図３（ｂ）は図３（ａ）を下側から見た斜視図である。
【図４】図２の第１パッド１０３ａ付近のＡ１−Ａ１断面図であって、（ａ）は分解図、（ｂ）は第１パッド１０３ａが第１の筐体６に係合した状態を示す図である。
【図５】回転ユニットａを示す平面図である。
【図６】携帯端末２００を示す平面図であって、（ａ）は第１の筐体６と第２の筐体７が重なった状態（第１の角度）、（ｂ）は携帯端末２００が全体として実質的にＴ字状を呈する状態（第２の角度）、（ｃ）は第１の筐体６と第２の筐体７が縦型に連結された状態（第３の角度）をそれぞれ示している。
【図７】図６を第１の筐体６の長辺８ａ側から見た側面図である。
【図８】第２の実施形態に係る携帯端末２０１の分解斜視図である。
【図９】図８の第２パッド１２１ｂ付近のＡ２−Ａ２断面図であって、（ａ）は分解図、（ｂ）は第２パッド１２１ｂを第１の筐体６に貼り付けた状態を示す図である。
【図１０】第１の角度における携帯端末２０１を示す図であって、（ａ）は平面図、（ｂ）は（ａ）のα―α断面図、（ｃ）は（ｂ）の第１パッド１０３ｂ付近の拡大図、（ｄ）は（ｂ）の第３パッド１２３付近の拡大図である。
【図１１】第２の角度における携帯端末２０１を示す図であって、（ａ）は平面図、（ｂ）は（ａ）のβ―β断面図、（ｃ）は（ａ）のγ―γ断面図、（ｄ）は（ｂ）の第１パッド１０３ａ、１０３ｂ付近の拡大図、（ｅ）は（ｃ）の第２パッド１２１ａ、１２１ｂ付近の拡大図である。
【図１２】第３の角度における携帯端末２０１を示す図であって、（ａ）は平面図、（ｂ）は（ａ）のδ―δ断面図、（ｃ）は（ａ）の第１パッド１０３ｂおよび第２パッド１２１ｂ付近の拡大図である。
【図１３】携帯端末２０１における第２の筐体７の回転角度と第２の筐体７側の形状、クリアランス、荷重の関係を示す図である。
【図１４】第３の実施形態に係る携帯端末２０２を示す図であって、（ａ）は第２の角度における平面図、（ｂ）は（ａ）の第１パッド１５１ａ付近のε−ε断面図である。
【図１５】第１パッド１５１ａの拡大斜視図である。
【発明を実施するための形態】
【００２４】
以下、図面に基づき、本発明の実施形態を詳細に説明する。
【００２５】
まず、図１を参照して、本発明の実施形態に係る携帯端末２００の構成および動作の概略を説明する。
【００２６】
図１に示すように、携帯端末２００は縦長（平面形状が長方形）で、ボタン等の操作部６ａを有する操作側筐体である第１の筐体６、正面に液晶等の表示部７ａを有し、第１の筐体６の正面側へその背面が重ねられている縦長（平面形状が長方形）の表示側筐体である第２の筐体７、第１の筐体６と第２の筐体７の間に設けられ、第１の筐体６と第２の筐体７を回転可能に、かつ所定の角度で保持可能に連結する回転ユニットａ、および第１の筐体６と第２の筐体７の間に設けられたガタツキ防止機構１００とを有している。なお、回転ユニットａは、第１の筐体６の短辺８ｃ側（第２の筐体７の短辺１２ｃ側）に設けられている。
【００２７】
次に、上記構成要素のうち、回転ユニットａおよびガタツキ防止機構１００の構造について図１〜図６を参照して説明する。
【００２８】
まず、ガタツキ防止機構１００の構造について、図１〜図４を参照して説明する。
【００２９】
図１に示すように、ガタツキ防止機構１００は第２の筐体７を押圧する押圧手段１０１ａ、１０１ｂを有している。
【００３０】
図１では押圧手段１０１ａ、１０１ｂは第１の筐体６の短辺のうち、回転ユニットａが設けられている側の短辺である短辺８ｃと回転ユニットａの間に設けられており、より具体的には、短辺８ｃと長辺８ａ、８ｂの交差する角部に沿って設けられている。
【００３１】
図２に示すように、押圧手段１０１ａ、１０１ｂは、第１パッド１０３ａ、１０３ｂおよび第１パッド１０３ａ、１０３ｂを押圧する、バネ１０５ａ、１０５ｂをそれぞれ有している。
【００３２】
図３に示すように、第１パッド１０３ａは、第２の筐体７と接触する山形（ドーム形）の第１部分１０７ａと、第１部分１０７ａの下部に設けられ、第１の筐体６と係合し、かつバネ１０５ａと接触する筒状の第２部分１０７ｂとを有している。第２部分１０７ｂは、対向する側面の一部が突出した嵌合爪１０９ａを有している。
【００３３】
第１部分１０７ａは第２の筐体７と接触する部分であるため、第２の筐体７側への擦れ跡を付きにくくするために摺動性に優れる樹脂で形成するのが望ましく、具体的にはＰＯＭ（PolyOxyMethylene）、エラストマーなどで形成するのが望ましい。また、形状は断面形状が山形（立体形状がドーム形）とするのが望ましい。
【００３４】
一方、第２部分１０７ｂはバネ１０５ａの反力による変形を防止し、第１の筐体６との係合を確保するため、剛性の優れた樹脂で形成するのが望ましく、具体的にはＰＣ（ポリカーボネート）やＡＢＳ（Acrylonitrile Butadiene Styrene）樹脂を用いるのが望ましい。
【００３５】
なお、第１部分１０７ａと第２部分１０７ｂとはそれぞれ摺動性に優れた樹脂と剛性に優れた樹脂との２色成形で製作することが望ましいが、ＰＯＭの様な摺動性と剛性を備える材料を用いるのであれば２色成形にする必要はない。
【００３６】
図４に示すように、第１パッド１０３ａは第１の筐体６に係合される。
【００３７】
より具体的に説明すると、図４（ａ）に示すように、第１の筐体６の、第１パッド１０３ａが設けられる部分は、第１の空間６ｂを形成しており、第１の空間６ｂから第１の筐体６の表面に向けて貫通孔６ｃが形成されている。また、第１の空間６ｂの底面から貫通孔６ｃに向けて、バネ１０５ａを保持するための突起６ｄが設けられている。
【００３８】
貫通孔６ｃは、第１パッド１０３ａの形状（ただし、嵌合爪１０９ａの突出部分を除く）に対応した形状を有しているが、内径は嵌合爪１０９ａの突出部間の距離よりも小さくなっている。
【００３９】
ガタツキ防止機構１００を第１の筐体６に設ける場合は、バネ１０５ａを突起６ｄに挿入し、その上から第１パッド１０３ａを、嵌合爪１０９ａが第１の空間６ｂ内に配置される位置まで貫通孔６ｃに挿入する。
【００４０】
この状態では、図４（ｂ）に示すように第１パッド１０３ａは、バネ１０５ａの伸縮に応じて上下動可能であるが（図４（ｂ）の白矢印参照）、嵌合爪１０９ａが第１の筐体６に係合されているため、その移動は制限を受ける。
【００４１】
なお、第２パッド１０３ｂおよびバネ１０５ｂの形状および配置は第１パッド１０３ａ、およびバネ１０５ａと同様であるため、説明を省略する。
【００４２】
以上がガタツキ防止機構１００の構造である。
【００４３】
次に、回転ユニットａの構造について、図１、図５および図６を参照して説明する。
【００４４】
図５に示すように、回転ユニットａは、所定距離離間した第１の軸ピン１０及び第２の軸ピン１０ａが設けられたベース板１と、第１の軸ピン１０及び第２の軸ピン１０ａとそれぞれ係合する第１の鉤状部２０及び第２の鉤状部２０ａが形成された可動板２とを具備し、ベース板１と可動板２は相対回動（回転）するように接合部分としての取付軸４により接合される。
【００４５】
可動板２は、第１の鉤状部２０及び第２の鉤状部２０ａのうち、少なくとも一方が常に第１の軸ピン１０または第２の軸ピン１０ａと係合するように構成されている。
【００４６】
例えば、図５（ａ）においては、第１の軸ピン１０と第１の鉤状部２０とが係合して第２の軸ピン１０ａから第２の鉤状部２０ａが離脱した状態であるが、この状態から可動板２を９０度右に回動させると図５（ｂ）に示すように、第１の鉤状部２０及び第２の鉤状部２０ａと第１の軸ピン１０及び第２の軸ピン１０ａが共に係合した状態になる。
【００４７】
さらに、図５（ｂ）の状態から可動板２を９０度右に回動させると、図５（ｃ）に示すように、第２の軸ピン１０ａと第２の鉤状部２０ａとが係合して第１の軸ピン１０から第１の鉤状部２０が離脱した状態になる。
【００４８】
一方、ベース板１には、第１の軸ピン１０を中心とした円弧と第２の軸ピン１０ａを中心とした円弧が第１の軸ピン１０及び第２の軸ピン１０ａの間の中間位置で交わる形状のガイドスリット１１が設けられている。
【００４９】
他方、可動板２には、第１の鉤状部２０及び第２の鉤状部２０ａの中間位置に円形孔からなる図示しない取付部が設けられており、取付軸４は取付部へ固定されかつガイドスリット１１内を抜け止め状態で摺動できるように構成されている。
【００５０】
第１の軸ピン１０及び第２の軸ピン１０ａの中間位置は第１の軸ピン１０及び第２の軸ピン１０ａを結ぶ直線上の実質的な中点であり、第１の鉤状部２０及び第２の鉤状部２０ａの中間位置は当該第１の鉤状部２０及び第２の鉤状部２０ａを結ぶ直線上の実質的な中点である。
【００５１】
なお、第１の軸ピン１０及び第２の軸ピン１０ａの中間位置は必ずしも直線上の実質的な中点である必要はなく、第１の軸ピン１０及び第２の軸ピン１０ａから互いに等距離な中間地点であってもよい。
【００５２】
また、回転ユニットａは、可動板２の作動を付勢し、ガイドスリット１１及びそれに沿って摺動する取付軸４とともに可動板２の作動を規制するため、図示しないばねが設けられている。
【００５３】
ガイドスリット１１には、第１の凹部１１ａ、第２の凹部１１ｂ、第３の凹部１１ｃが形成されている。
【００５４】
第１の凹部１１ａは、第１の軸ピン１０を中心とした円弧の一方の端部であり、かつ第２の軸ピン１０ａを中心とした円弧の一方の端部である。即ち、図５（ｂ）で示すように、可動板２の第１の鉤状部２０及び第２の鉤状部２０ａが第１の軸ピン１０及び第２の軸ピン１０ａとそれぞれ係合しているときに取付軸４が図示しないばねの付勢により案内される凹部である。
【００５５】
第２の凹部１１ｂは、第１の軸ピン１０を中心とした円弧の他方の端部である。即ち、図５（ａ）で示すように、第１の軸ピン１０と第１の鉤状部２０とが係合して第２の軸ピン１０ａから第２の鉤状部２０ａが離脱したときに取付軸４が図示しないばねの付勢により案内される凹部である。
【００５６】
第３の凹部１１ｃは、第２の軸ピン１０ａを中心とした円弧の他方の端部である。即ち、図５（ｃ）で示すように、第２の軸ピン１０ａと第２の鉤状部２０ａとが係合して第１の軸ピン１０から第１の鉤状部２０が離脱したときに取付軸４が図示しないばねの付勢により案内される凹部である。
【００５７】
なお、ガイドスリット１１は第１の凹部１１ａを中心として１／４円弧を２つ組み合せた「ほぼくの字状」となるように形成するのが好ましい。
【００５８】
ガイドスリット１１は、より具体的には、第１の軸ピン１０を中心とした円弧と、第２の軸ピン１０ａを中心とした円弧が、第１の軸ピン１０と第２の軸ピン１０ａ相互の中間位置（すなわち第１の凹部１１ａ）で交わったスリット形状に形成してある。
【００５９】
なお、ガイドスリット１１において、円弧が中間位置で交わった部分の一方の内周は前述のように第１の凹部１１ａを形成するが、他方の内周は凸状部１１ｄを形成している。
【００６０】
ただし、ガイドスリット１１は、各円弧の半径が２つの第１の軸ピン１０と第２の軸ピン１０ａ間の距離よりも小さければ、前記形状のスリットに限定されない。
【００６１】
ベース板１はステンレス板等の金属板をプレス加工したものであり、図示しないねじ等により第１の筐体６へ取り付けられる。
【００６２】
可動板２もステンレス板等の金属板をプレス加工したものであり、図示しないねじ等により第２の筐体７へ取り付けられる。
【００６３】
なお、回転ユニットａは、図６（ａ）に示すように第１の筐体６と第２の筐体７が重なり合った状態で、図５（ａ）に示す形態となるように、第１の筐体６および第２の筐体７に設けられている。
【００６４】
より具体的に説明すると、ベース板１は、第１の凹部１１ａ、第２の凹部１１ｂ、第３の凹部１１ｃがそれぞれ第１の筐体６の長辺８ａ、短辺８ｄ、短辺８ｃと対向するように第１の筐体６に取り付けられており（図１参照）、可動板２は、第１の筐体６と第２の筐体７が重なり合った状態で、第１の軸ピン１０と第１の鉤状部２０とが係合して第２の軸ピン１０ａから第２の鉤状部２０ａが離脱し、取付軸４が第２の凹部１１ｂに案内された状態となるように第２の筐体７に取り付けられている。
【００６５】
なお、図示しないばねにはトーションばねが使用されており、その可動側アームのカール部を取付軸４へ係合させる一方、その固定側アームのカール部をベース板１の背面側へ一体にプレス成形した鍔付きの図示しない軸部へ係合ないし係止している。
【００６６】
回転ユニットａは、構成上、ベース板１における第１及び第２の（一対の）第１の軸ピン１０と第２の軸ピン１０ａ相互の間隔と可動板２における第１の鉤状部２０及び第２の鉤状部２０ａの中心相互の間隔は等しく、可動板２の背面における取付軸４は第１の鉤状部２０及び第２の鉤状部２０ａ相互の中間位置にあるから、ガイドスリット１１における第１の凹部１１ａの中心は第１の軸ピン１０と第２の軸ピン１０ａ相互の中間に位置している。
【００６７】
第１の軸ピン１０及び第２の軸ピン１０ａと第１の凹部１１ａとの間隔、第１の軸ピン１０と第２の凹部１１ｂとの間隔、及び第２の軸ピン１０ａと第３の凹部１１ｃとの間隔はそれぞれ等しく、第１の凹部１１ａと第２の凹部１１ｂ及び第３の凹部１１ｃとの間の距離も等しい。
【００６８】
以上が回転ユニットａの構造である。
【００６９】
次に、回転ユニットａを用いて第２の筐体７を第１の筐体６に対して相対回転させた場合のガタツキ防止機構１００の動作について、図５〜図７を参照して説明する。
【００７０】
図６および図７に示すように、携帯端末２００は、回転ユニットａを用いて第２の筐体７を第１の筐体６に対して相対回転させることにより、以下の３つの状態に第２の筐体７を保持することができる。
【００７１】
（１）第１の筐体６と第２の筐体７が重なり合った状態（第１の角度、０度）。 
（２）第１の角度から第２の筐体７を右に９０度回転させた状態であって、携帯端末２００が全体として実質的にＴ字状を呈する状態（第２の角度、９０度）。 
（３）第１の角度から第２の筐体７を右に１８０度回転させた状態であって、第１の筐体６と第２の筐体７が縦型に連結された状態（第３の角度、１８０度）。
【００７２】
以下に、各状態について詳細に説明する。
【００７３】
［第１の角度］
図６（ａ）および図７（ａ）に示すように、第１の角度は第１の筐体６と第２の筐体７が重なり合った状態、より正確には重なり合う部分の面積が最も大きい状態であり、第１の筐体６の操作部６ａを露出させないコンパクトな状態であるため、第２の筐体７の表示部７ａを縦長状態あるいは横長状態として利用することができる。
【００７４】
第１の角度においては、回転ユニットａは、可動板２における第１の鉤状部２０がベース板１の第１の軸ピン１０と係合し、第２の鉤状部２０ａが第２の軸ピン１０ａから離脱している状態である（図５（ａ）参照）。
【００７５】
ここで、図７（ａ）に示すように、第１の角度においては、第１パッド１０３ａ、１０３ｂ（１０３ｂは図示せず）は、バネ１０５ａ、１０５ｂ（１０５ｂは図示せず）に押圧されて第２の筐体７の短辺１２ｃを押圧する。
【００７６】
押圧された第２の筐体７は傾斜し、短辺１２ｃと対向する短辺１２ｄが第１の筐体６の短辺８ｄと接触する（押し付けられる）。
【００７７】
この状態では第１の筐体６と第２の筐体７は、上部（短辺８ｃ、１２ｃ側）が第１パッド１０３ａ、１０３ｂを介して接触し、下部（短辺８ｄ、１２ｄ側）が第１パッド１０３ａ、１０３ｂの押圧力により直接接触するため、回転ユニットａを設けたことによるクリアランスを確保しつつ、ガタツキを防止することができる。
【００７８】
［第２の角度］
図６（ｂ）および図７（ｂ）に示すように、第２の角度は第１の角度から第２の筐体７を右に９０度回転させた状態である。
【００７９】
より具体的は、第１の角度から第２の筐体７を時計方向へ回動させると、可動板２が第１の軸ピン１０を中心として第２の軸ピン１０ａの方向へ９０回動したとき、第２の鉤状部２０ａが第２の軸ピン１０ａへ係合し、同時に取付軸４がガイドスリット１１の第１の凹部１１ａへ案内される（図５（ｂ）参照）。
【００８０】
すると、携帯端末２００は、第１の角度のような重なった姿勢から、携帯端末２００全体として実質的にＴ字状を呈する状態に変換され、この状態で保持される。
【００８１】
第２の筐体７がこの姿勢にあるときは、例えば携帯端末２００においてテレビジョン放送を受信したり、ウェブサイトを表示したりするのに適する。
【００８２】
ここで、図７（ｂ）に示すように、第２の角度においては、第１パッド１０３ａ、１０３ｂ（１０３ｂは図示せず）は、バネ１０５ａ、１０５ｂ（１０５ｂは図示せず）に押圧されて第２の筐体７の長辺１２ｂを押圧する。
【００８３】
押圧された第２の筐体７は傾斜し、長辺１２ｂと対向する長辺１２ａが第１の筐体６における長辺１２ａの交差部分８ｅ（図１参照）と接触する。
【００８４】
この状態では第１の筐体６と第２の筐体７は、上部（短辺８ｃ、長辺１２ｂ側）が第１パッド１０３ａ、１０３ｂを介して接触し、下部（交差部分８ｅ、長辺１２ａ側）が第１パッド１０３ａ、１０３ｂの押圧力により直接接触するため、回転ユニットａを設けたことによるクリアランスを確保しつつ、ガタツキを防止することができる。
【００８５】
［第３の角度］
図６（ｃ）および図７（ｃ）に示すように、第３の角度は第１の角度から第２の筐体７を右に１８０度回転させた状態である。即ち、第２の状態から、第２の筐体７をさらに時計方向へ回動させると、第１の鉤状部２０は第１の軸ピン１０から離脱し、可動板２は第２の軸ピン１０ａを中心として回動する。
【００８６】
この回動に伴い、取付軸４はガイドスリット１１における第３の凹部１１ｃへ案内されるので（図５（ｃ）参照）、携帯端末２００は、携帯電話機は第１の筐体６の上端部領域へ第２の筐体７の下端部領域が重なって連結された状態となり、全体として最も細長い形態になる。
【００８７】
この状態は例えば携帯電話機を既存の電話機と同様にして使用するのに適する。
【００８８】
ここで、図７（ｃ）に示すように、第３の角度においては、第１パッド１０３ａ、１０３ｂ（１０３ｂは図示せず）は、バネ１０５ａ、１０５ｂ（１０５ｂは図示せず）に押圧されて第２の筐体７の、第１の筐体６の短辺８ｃと交差する部分を押圧する。
【００８９】
押圧された第２の筐体７は傾斜し、第２の筐体７の短辺１２ｃと、第１の筐体６における短辺１２ｃの交差部分８ｅとが接触する（押し付けられる）。
【００９０】
この状態では第１の筐体６と第２の筐体７は、上部（短辺８ｃ側）が第１パッド１０３ａ、１０３ｂを介して接触し、下部（短辺１２ｃ側）が第１パッド１０３ａ、１０３ｂの押圧力により直接接触するため、回転ユニットａを設けたことによるクリアランスを確保しつつ、ガタツキを防止することができる。
【００９１】
このように第１の実施形態によれば、携帯端末２００は第１の筐体６、第２の筐体７、第１の筐体６と第２の筐体７の間に設けられ、第１の筐体６と第２の筐体７を回転可能に連結する回転ユニットａ、および第１の筐体６と第２の筐体７の間に設けられたガタツキ防止機構１００とを有しており、ガタツキ防止機構１００の第１パッド１０３ａ、１０３ｂが第２の筐体７を押圧することにより第２の筐体７を傾斜させ、第２の筐体７の一部（第１パッド１０３ａ、１０３ｂが押圧した部分以外の部分）を第１の筐体６に接触させている（押し付けている）。
【００９２】
そのため、回転ユニットａを設けたことによるクリアランスを確保しつつ、ガタツキを防止することができる。
【００９３】
次に、第２の実施形態に係る携帯端末２０１について、図８〜図１３を参照して説明する。
【００９４】
第２の実施形態に係る携帯端末２０１は、第１の実施形態において、ガタツキ防止機構１０１の構成要素として、第１の筐体６と第２の筐体７の間に、第２の筐体７を傾斜させた際に接触する部分に第２パッド１２１ａ、１２１ｂおよび第３パッド１２３を設けたものである。
【００９５】
なお、第２の実施形態において、第１の実施形態と同様の機能を果たす要素については同一の番号を付し、説明を省略する。
【００９６】
まず、携帯端末２０１の構造について、図８および図９を参照して説明する。
【００９７】
図８および図９に示すように、携帯端末２０１のガタツキ防止機構１０１は、第２の筐体７を傾斜させた際に第１の筐体６と第２の筐体７が接触する部分に設けられた、第２パッド１２１ａ、１２１ｂおよび第３パッド１２３を有している。
【００９８】
より具体的には、第２パッド１２１ａ、１２１ｂは断面形状が角が丸い四角形の柱状体であり、上端には溝部１２５ａ、１２５ｂがそれぞれ設けられている。
【００９９】
第２パッド１２１ａ、１２１ｂはそれぞれ、交差部分８ｅと長辺８ａ、８ｂの交差する部分の内側（回転ユニットａ側）に沿うように、かつ、溝部１２５ａ、１２５ｂが長辺８ａ、８ｂと平行になるように第１の筐体６に設けられている。
【０１００】
なお、図９に示すように、第２パッド１２１ｂは両面テープ１２７ｂによって、第１の筐体６に固定される。図示はしていないが第２パッド１２１ａも同様に両面テープで第１の筐体６に固定される。
【０１０１】
一方、第３パッド１２３は第１の筐体６の短辺８ｄの形状に対応した短冊状の形状を有し、短辺８ｄに沿うようにして図示しない両面テープ等で第１の筐体６に固定されている。
【０１０２】
なお、第２パッド１２１および第３パッド１２３を構成する材料は、摺動性の優れた材料であるのが望ましく、例えば第１パッド１０３ａの第１部分１０７ａと同様にＰＯＭ、エラストマーで構成するのが望ましい。
【０１０３】
次に、回転ユニットａを用いて第２の筐体７を第１の筐体６に対して相対回転させた場合のガタツキ防止機構１０１の動作について、図１０〜図１２を参照して説明する。
【０１０４】
図１０〜図１２に示すように、携帯端末２０１は、携帯端末２００と同様、回転ユニットａを用いて第２の筐体７を第１の筐体６に対して相対回転させることにより、第１の角度、第２の角度、第３の角度の３つの状態に保持可能である。
【０１０５】
以下、各状態について詳細に説明する。
【０１０６】
［第１の角度］
図１０に示すように、第１の角度においては、第１パッド１０３ａ（図１２では図示せず）、１０３ｂはバネ１０５ａ（図１２では図示せず）、１０５ｂに押圧されて第２の筐体７の短辺１２ｃを押圧する。
【０１０７】
押圧された第２の筐体７は回転ユニットａにおけるにおけるベース板１と可動板２の接合部分である取付軸４を支点に傾斜し、短辺１２ｄが、第３パッド１２３と接触する。
【０１０８】
即ち、上記動作においては、取付軸４が支点、第１パッド１０３ａ、１０３ｂが力点、第３パッド１２３が作用点となり、この３点で第１の筐体６と第２の筐体７を支持している。
【０１０９】
そのため、回転ユニットａを設けたことによるクリアランスを確保しつつ、ガタツキを防止することができる。
【０１１０】
また、この状態では第１の筐体６と第２の筐体７は、第１パッド１０３ａ、１０３ｂおよび第３パッド１２３を介して接触するため、直接接触することはなく、筐体同士の擦れ傷や塗装剥がれを防止できる。
【０１１１】
［第２の角度］
図１１に示すように、第２の角度においては、第１パッド１０３ａ、１０３ｂはバネ１０５ａ、１０５ｂに押圧されて第２の筐体７の長辺１２ｂを押圧する。
【０１１２】
押圧された第２の筐体７は取付軸４を支点に傾斜し、長辺１２ａ（図７参照）が、第２パッド１２１ａ、１２１ｂと接触する。
【０１１３】
即ち、上記動作においては、取付軸４が支点、第１パッド１０３ａ、１０３ｂが力点、第２パッド１２１ａ、１２１ｂが作用点となり、この３点で第１の筐体６と第２の筐体７を支持している。
【０１１４】
そのため、回転ユニットａを設けたことによるクリアランスを確保しつつ、ガタツキを防止することができる。
【０１１５】
また、この状態では第１の筐体６と第２の筐体７は、第１パッド１０３ａ、１０３ｂおよび第２パッド１２１ａ、１２１ｂを介して接触するため、直接接触することはなく、筐体同士の擦れ傷や塗装剥がれを防止できる。
【０１１６】
［第３の角度］
図１２に示すように、第３の角度においては、第１パッド１０３ａ（図１２では図示せず）、１０３ｂはバネ１０５ａ（図１２では図示せず）、１０５ｂに押圧されて、第２の筐体７の、短辺８ｃと交差する部分を押圧する。
【０１１７】
押圧された第２の筐体７は取付軸４を支点に傾斜し、短辺１２ｃが、第２パッド１２１ａ（図示せず）、１２１ｂと接触する。
【０１１８】
即ち、上記動作においては、第２の角度と同様に、取付軸４が支点、第１パッド１０３ａ、１０３ｂが力点、第２パッド１２１ａ、１２１ｂが作用点となり、この３点で第１の筐体６と第２の筐体７を支持している。
【０１１９】
そのため、回転ユニットａを設けたことによるクリアランスを確保しつつ、ガタツキを防止することができる。
【０１２０】
また、この状態では第１の筐体６と第２の筐体７は、第１パッド１０３ａ、１０３ｂおよび第２パッド１２１を介して接触するため、直接接触することはなく、筐体同士の擦れ傷や塗装剥がれを防止できる。
【０１２１】
なお、第１パッド１０３ａ、１０３ｂは、第１〜第３の角度以外の角度、具体的には回転中の角度においても第２の筐体７に接触している場合があるため、回転中に第１パッド１０３ａ、１０３ｂと第２の筐体７が摺動することにより、第２の筐体７側に擦り傷が発生する可能性がある。
【０１２２】
そのため、本発明では第１パッド１０３ａ、１０３ｂを摺動性に優れる材料で構成し、コイルバネを組み込み可動させることによって、擦り傷を抑制している。
【０１２３】
なお、コイルバネのバネ係数や各角度のときのたわみ量、即ち、第１パッド１０３ａ、１０３ｂの突出量、第２の筐体７側との干渉量を適切に設定する必要があるのは無論である。
【０１２４】
また、図１３に示すように、第２の筐体７の、第１パッド１０３ａ、１０３ｂと接触する部分をスロープ形状とすることで第２の筐体７側の回転摺動性を確保するのが望ましい。
【０１２５】
具体的には、図１３に示すように、第２の筐体７側の形状を、０°（第１の角度）、９０°（第２の角度）、１８０°（第３の角度）では第１パッド１０３ａと第２の筐体７側が突き当たるような形状にし、そこから回転する際に徐々にクリアランスが増大する様なスロープ形状とする。再び０°、９０°、１８０°に近づくときはクリアランスが減少するようなスロープ形状とする。
【０１２６】
このような構造にすることにより、第２の筐体７側の回転摺動性を確保することができ、さらに付加効果として、０°、９０°、１８０°に近づく際にブレーキのような効果が働き各角度で緩やかに回転させることができる。
【０１２７】
このように、第２の実施形態によれば、携帯端末２０１は第１の筐体６、第２の筐体７、第１の筐体６と第２の筐体７の間に設けられ、第１の筐体６と第２の筐体７を回転可能に連結する回転ユニットａ、および第１の筐体６と第２の筐体７の間に設けられたガタツキ防止機構１０１とを有しており、ガタツキ防止機構１０１の第１パッド１０３ａ、１０３ｂが第２の筐体７を押圧することにより第２の筐体７を傾斜させ、第２の筐体７の一部を第１の筐体６に接触させている。
【０１２８】
従って、第１の実施形態と同様の効果を奏する。
【０１２９】
また、第２の実施形態によれば、携帯端末２０１はガタツキ防止機構１０１が第２パッド１２１ａ、１２１ｂおよび第３パッド１２３を有している。
【０１３０】
そのため、第１の筐体６と第２の筐体７が直接接触することがなく、筐体同士の擦れ傷や塗装剥がれを防止できる。
【０１３１】
次に、第３の実施形態について図１４及び図１５を参照して説明する。
【０１３２】
第３の実施形態に係る携帯端末２０２は、第１の実施形態において、第１パッド１５１ａ、１５１ｂの上端面に溝部１５３ａ、１５３ｂを設け、第２の筐体７の、第１パッド１５１ａ、１５１ｂと接触する部分に凸部を設けたものである。
【０１３３】
なお、第３の実施形態において、第１の実施形態と同様の機能を果たす要素については同一の番号を付し、説明を省略する。
【０１３４】
図１４に示すように、携帯端末２０２は、第１パッド１５１ａの上端面（第２の筐体７と接触する面）に溝部１５３ａが設けられている。
【０１３５】
溝部１５３ａは、第２パッド１２１に設けられた溝と同方向、即ち、第１の筐体６の長辺８ａ、８ｂに平行に設けられており、長手方向の側面は底面側から上面側へ広がるように傾斜した形状を有している。
【０１３６】
一方、第２の筐体７側には、第２の角度で第１パッド１５１ａに接触する部分に第４パッド１６１ａが設けられている。
【０１３７】
第４パッド１６１ａは、溝部１５３ａに対応した形状の凸部１６３ａを有しており、第２の角度において凸部１６３ａが溝部１５３ａに係合されるようになっている。
【０１３８】
なお、図１４では右側の第１パッド１５１ａ側の構造のみを図示しているが、左側の第１パッド側の構造も同様である。
【０１３９】
即ち、図示はしないが、左側の第１パッド１５１ｂの上端面には溝部１５３ｂが設けられ、第２の筐体７側には、第２の角度で第１パッド１５１ｂに接触する部分に第４パッド１６１ｂが設けられている。第４パッド１６１ｂは、溝部１５３ｂに対応した形状の凸部１６３ｂを有しており、第２の角度において凸部１６３ｂが溝部１５３ｂに係合されるようになっている。
【０１４０】
また、図１４では第２の角度で第１パッド１５１ａに接触する部分に設けられた凸部１６３ａの構造のみを開示しているが、第１の角度および第３の角度で第１パッド１５１ａに接触する部分にも、同様に溝部１５３ａと係合する図示しない凸部が設けられている。
【０１４１】
このように、第１パッド１５１ａに溝部１５３ａを設け、各角度で第１パッド１５１ａと接触する部分に凸部１６３ａを係合させる構造とすることにより、溝部１５３ａと直交する方向、即ち回転方向のガタツキを抑制することができる。
【０１４２】
なお、溝部１５３ａは長手方向の側面が底面側から上端面側へ広がるように傾斜した形状を有しているため、回転の際に摺動性を損なうことはない（摺動の邪魔になることはない）。
【０１４３】
このように、第３の実施形態によれば、携帯端末２０２は第１の筐体６、第２の筐体７、第１の筐体６と第２の筐体７の間に設けられ、第１の筐体６と第２の筐体７を回転可能に連結する回転ユニットａ、および第１の筐体６と第２の筐体７の間に設けられたガタツキ防止機構１０２とを有しており、ガタツキ防止機構１０２の第１パッド１５１ａ、１５１ｂが第２の筐体７を押圧することにより第２の筐体７を傾斜させ、第２の筐体７の一部を第１の筐体６に接触させている。
【０１４４】
従って、第１の実施形態と同様の効果を奏する。
【０１４５】
また、第３の実施形態によれば、第１パッド１５１ａ、１５１ｂは、上端面に溝部１５３ａ、１５３ｂを有し、第２の筐体７は、第１〜第３の角度で第１パッド１５１ａ、１５１ｂと接触する部分に溝部１５３ａ、１５３ｂと係合する凸部を有している。
【０１４６】
そのため、第１の実施形態と比較し、さらに回転方向のガタツキを抑制することができる。
【産業上の利用可能性】
【０１４７】
上記した実施形態では、ガタツキ防止機構を、携帯端末に適用した場合について説明したが、本発明は、何等、これに限定されることなく、２つの筐体を相対的にスライド回転させて使用する全ての装置に適用できる。
【符号の説明】
【０１４８】
ａ  回転ユニット
１  ベース板
２  可動板
４  取付軸
１０、１０ａ  第１、第２の軸ピン
１１  ガイドスリット
１１ａ、１１ｂ、１１ｃ  第１、第２及び第３の凹部
２０、２０ａ  第１、第２の鉤状部
６  第１の筐体
７  第２の筐体
１００  ガタツキ防止機構
１０１ａ、１０１ｂ  押圧手段
１０３ａ、１０３ｂ  第１パッド
１０５ａ、１０５ｂ  バネ
１２１ａ、１２１ｂ  第２パッド
１２３  第３パッド
【図１】
2011114614.tif 000003
【図２】
2011114614.tif 000004
【図３】
2011114614.tif 000005
【図４】
2011114614.tif 000006
【図５】
2011114614.tif 000007
【図６】
2011114614.tif 000008
【図７】
2011114614.tif 000009
【図８】
2011114614.tif 000010
【図９】
2011114614.tif 000011
【図１０】
2011114614.tif 000012
【図１１】
2011114614.tif 000013
【図１２】
2011114614.tif 000014
【図１３】
2011114614.tif 000015
【図１４】
2011114614.tif 000016
【図１５】
2011114614.tif 000017